(57)【特許請求の範囲】
【請求項１】
局部を洗浄する局部洗浄ノズルに付着した汚物等を噴射洗浄して落とすノズル噴射洗浄手段を設けた局部洗浄装置であって、便器へ洗浄水を供給する洗浄水タンクの下方を含めて装置基盤を設け、洗浄水タンクの外面に結露して滴下した結露水を受け、かつ、局部洗浄ノズルを洗浄したノズル洗浄水を受けて便器に排水する排水路を装置基盤に形成し、局部洗浄ノズルを洗浄したノズル洗浄水の飛散を受けて上記結露水及び局部洗浄ノズルを洗浄したノズル洗浄水が排水路を逆流するのを防止する邪魔板を排水路に設けて成ることを特徴とする局部洗浄装置。
【請求項２】
邪魔板は排水上流側が凸となる平面視が略へ字状に形成されて成ることを特徴とする請求項１記載の局部洗浄装置。
【請求項３】
邪魔板は排水上流側が凸となる平面視が波形に形成されて成ることを特徴とする請求項１記載の局部洗浄装置。
【発明の詳細な説明】
【０００１】
【発明の属する技術分野】
本発明は、局部洗浄装置に関し、詳しくは、便器に洗浄水を供給する洗浄水タンク（ロータンク）の設置も含めてコンパクト化を図りながら、洗浄水タンクの外面に結露して滴下する結露水を受けて便器に排水する排水路において、局部洗浄ノズルを洗浄するノズル洗浄水が飛散することによる停滞及び逆流を防止し、他部材への悪影響を防止しようとする技術に係るものである。
【０００２】
【従来の技術】
従来、局部洗浄ノズルよりの温水で局部を洗浄し、かつ、局部洗浄ノズルを洗浄するノズル洗浄機能を備えた局部洗浄装置は、便器に洗浄水を供給する洗浄水タンク（ロータンク）とは別配置になっていた。ところで、局部洗浄装置における種々の機能ブロックを配設するのに際して、局部洗浄ノズルを洗浄する噴射ノズルをリブにて囲むことで、洗浄水が跳ね返って飛散しないようにしていた。又、ロータンクにおいては、タンク外面に結露した結露水を集めて排水する手段を講じていた。
【０００３】
ロータンクの設置も含めて局部洗浄装置をコンパクト化するのに際して、ロータンクを局部洗浄装置の内部に配設している。具体的には、局部洗浄装置の装置基盤の上方にロータンクを配設し、装置基盤に排水路を形成してロータンクの外面に結露した結露水を受けて便器へと排水するようにしている。
【０００４】
ところで、局部洗浄ノズルをノズル噴射洗浄手段の噴射ノズルよりの洗浄水で洗浄した場合に、洗浄後の飛散水が勢いよく排水路に流入することがあり、装置基盤の取付け姿勢や便器の形状等によって、排水路において停滞や逆流が生じ、オーバーフロー等によって種々の機能ブロック、回路ブロック等へ悪影響をおよぼすおそれもあるという問題があった。
【０００５】
【発明が解決しようとする課題】
本発明はこのような問題に鑑みてなされたものであり、便器に洗浄水を供給する洗浄水タンクの設置も含めてコンパクト化を図りながら、洗浄水タンクの外面に結露して滴下する結露水を受けて便器に排水する排水路において、局部洗浄ノズルを洗浄するノズル洗浄水が飛散することによる停滞及び逆流を防止することができる局部洗浄装置を提供することを課題とするものである。
【０００６】
【課題を解決するための手段】
請求項１の発明においては、局部を洗浄する局部洗浄ノズル１に付着した汚物等を噴射洗浄して落とすノズル噴射洗浄手段２を設けた局部洗浄装置であって、便器へ洗浄水を供給する洗浄水タンク３の下方を含めて装置基盤４を設け、洗浄水タンク３の外面に結露して滴下した結露水を受け、かつ、局部洗浄ノズル１を洗浄したノズル洗浄水を受けて便器に排水する排水路６を装置基盤４に形成し、局部洗浄ノズル１を洗浄したノズル洗浄水の飛散を受けて上記結露水及び局部洗浄ノズル１を洗浄したノズル洗浄水が排水路６を逆流するのを防止する邪魔板７を排水路６に設けていることを特徴とするものである。
【０００７】
このような構成によれば、装置基盤４の上方に洗浄水タンク３を配設してコンパクト化を図り、洗浄水タンク３の外面よりの結露水を装置基盤４に形成した排水路６で受けて排水することができながら、噴射ノズル８にて局部洗浄ノズル１を洗浄する際のノズル洗浄水の上流側への逆流を邪魔板７によって遮ることができ、排水路６における排水の停滞及び逆流を確実に防止することができる。
【０００８】
請求項２の発明においては、邪魔板７は排水上流側が凸となる平面視が略へ字状に形成されていることを特徴とするものである。このような構成によれば、局部洗浄ノズル１を洗浄した飛散水は、排水上流側が凸となり排水下流側が凹となる邪魔板７によって受けられて逆流を効果的に防止することができ、更に、邪魔板７は排水上流側が凸となる平面視が略へ字状に形成されていることから、略へ字状の凸部７ａが分水嶺となって排水を円滑におこなうことができる。
【０００９】
請求項３の発明においては、邪魔板７は排水上流側が凸となる平面視が波形に形成されていることを特徴とするものである。このような構成によれば、局部洗浄ノズル１を洗浄した飛散水は、排水上流側が凸となる平面視が波形の邪魔板７によって受けられて逆流を効果的に防止することができ、更に、邪魔板７は排水上流側が凸となる平面視が波形に形成されていることから、排水を円滑におこなうことができる。
【００１０】
【発明の実施の形態】
以下、本発明の実施の形態を説明する。図１は概略構成を示す平面図である。図２は装置基盤の平面図である。図３は局部洗浄装置の斜視図である。図４は給水系統図である。図５及び図６は部分斜視図である。図７は局部洗浄ノズルを示し、下方からの斜視図である。図８は局部洗浄ノズルを示し、上方からの斜視図である。
【００１１】
局部洗浄装置Ａは、便器（図示せず）に取り付けられるものであり、便座９、便蓋１０を有し、局部洗浄ノズル１としてのおしり洗浄ノズル１１をおしりノズルシリンダー１２によって出退自在に、又、局部洗浄ノズル１としてのビデ洗浄ノズル１３をビデノズルシリンダー１４によって出退自在に設け、操作部１５における操作によって流路切換弁１６を切換えて選定したおしりシリンダー１２又はビデノズルシリンダー１４に貯湯タンク１７からの温水を供給して、選定したおしり洗浄ノズル１１又はビデ洗浄ノズル１３を所定位置に突出させるとともに突出位置において温水をノズル先端部に形成した噴出口から噴出して局部洗浄をおこなうようにしている。このような温水供給は、電磁弁１８の開放により洗浄水タンク（ロータンク）３からの洗浄水を貯湯タンク１７に給水することで、ヒータ１９にて加温された温水の一部を貯湯タンク１７の上部から給湯するものである。符号２０は分岐水栓であり、上水道と洗浄水タンク３との経路を切り換えて貯湯タンク１７に給水をおこなうものである。
【００１２】
図７及び図８に示すように、局部洗浄ノズル１としてのおしり洗浄ノズル１１及びビデ洗浄ノズル１３の格納姿勢で両ノズル１１、１３を噴射洗浄して付着した汚物等を落とすノズル噴射洗浄手段２の噴射ノズル８を設けている。以下、詳述する。
【００１３】
格納位置におけるおしり洗浄ノズル１１及びビデ洗浄ノズル１３の上方にノズル噴射洗浄手段２の洗浄水の流路２８を形成している飛散防止板２６を設けている。飛散防止板２６にはノズル洗浄用管路体２１を接続している。飛散防止板２６の裏面におしり洗浄ノズル１１を格納する部分を形成して流路２８に連通して噴射口５…を形成している。又、飛散防止板２６の裏面にビデ洗浄ノズル１３を格納する部分を形成して流路２８に連通して噴射口５…を形成している。ノズル洗浄用管路体２１は流路切換弁１６の二次側に接続されている。
【００１４】
しかして、おしり洗浄ノズル１１及びビデ洗浄ノズル１３の格納姿勢において、流路切換弁１６の切り換えによりノズル洗浄用管路体２１に供給されて３列に分岐された流路２８をへて噴射口５…より噴射しておしり洗浄ノズル１１及びビデ洗浄ノズル１３を洗浄することができるようにしている。この場合、噴射口５より噴射される圧力は、おしり洗浄ノズル１１及びビデ洗浄ノズル１３よりの噴射圧と同様となるが、ノズル洗浄用管路体２１の管径及び噴射口５の数及び大きさの設定により充分に高い圧力を得ることができ、噴射洗浄が可能になるものである。おしり洗浄ノズル１１及びビデ洗浄ノズル１３の噴射洗浄は、これらノズル１１、１３が格納位置に格納されたタイミングにておこなうようにしておくと使用後に洗浄がおこなえてノズル１１、１３の清浄化を、一層、容易におこなうことができてよい。
【００１５】
このように、格納姿勢においてシリンダー２３より突出しているおしり洗浄ノズル１１及びビデ洗浄ノズル１３を噴射洗浄することができ、噴射されて勢いのある噴射洗浄水によって局部洗浄ノズル１に付着している汚物等を洗浄し落下させ、確実に清浄化させることができ、かつ、勢いのある噴射洗浄だから、目視及び感覚的におしり洗浄ノズル１１及びビデ洗浄ノズル１３を洗浄することのアピール感を出すことができ、更に、おしり洗浄ノズル１１及びビデ洗浄ノズル１３の格納姿勢での洗浄だから、毎使用時に噴射洗浄をおこなうことが可能となり、一層、清浄化しやすく、かつ、清浄化ができて汚物等が付着し難くなり、清潔感を得ることができるものである。
【００１６】
更に、おしり洗浄ノズル１１又はビデ洗浄ノズル１３の一方が格納姿勢となって洗浄される場合に、使用姿勢となっている他のビデ洗浄ノズル１３又はおしり洗浄ノズル１１のスライダー２２を同時に洗浄することができることから、スライダー２２に汚物が付着することをも防止することができるものである。
【００１７】
又、おしり洗浄ノズル１１及びビデ洗浄ノズル１３の格納位置において、局部洗浄ノズル１の上方を覆う上記飛散防止板２６の他に、おしり洗浄ノズル１１及びビデ洗浄ノズル１３の背方を覆う背方飛散防止板２４及び側方を覆う側方飛散防止板（図示せず）を設けている。
【００１８】
しかして、上方、背方及び側方に洗浄水が飛散するのを防止するのであり、上方及び局部洗浄装置Ａの内部への飛散及び便器の外部への飛散を阻止することができ、かつ、使用者の身体への飛散を防止し、汚物を含んだ噴射洗浄水を便器の内部に落とすことができるのである。
【００１９】
局部洗浄装置Ａにおけるおしり洗浄ノズル１１及びビデ洗浄ノズル１３、ノズル洗浄用の噴射ノズル８、貯湯タンク１７、洗浄水タンク３等の構成部材は、局部洗浄装置Ａの、例えば、合成樹脂製の装置基盤４の上方に配設されているのであり、この場合、図１及び図２に示すように、装置基盤４にリブ２５を立ち上げて排水路６を形成しているのであり、洗浄水タンク３の外面に結露した結露水の滴下を受けて集め、便器の上方に開放される排水口２７より便器に排水するようにしている。又、噴射ノズル８によるおしり洗浄ノズル１１及びビデ洗浄ノズル１３を洗浄した洗浄水も排水路６にて受けて排水口２７から便器に排水するようにしている。図５及び図６に示すように、排水路６内には、上縁に窪み３０ａを形成した支持リブ３０が複数枚立ち上げられ、上流側及び下流側の複数の支持リブ３０、３０にておしり洗浄ノズル１１を支持している。同様に、ビデ洗浄ノズル１３を複数の支持リブ３０、３０にて支持している。排水路６の奥部上方には制御回路部２９のような回路ブロックが設置されている。
【００２０】
図１、図５及び図６に示すように、排水路６内で横方向に並んでいる支持リブ３０、３０の間が流路６ａとなって排水が流れるのである。上流側及び下流側において対向する流路６ａ、６ａの中間部に邪魔板７を設けている。この場合、邪魔板７は格納姿勢のおしり洗浄ノズル１１及びビデ洗浄ノズル１３よりも排水下流側に存在することになる。
【００２１】
このような構成によれば、装置基盤４の上方に洗浄水タンク３等を配設していてコンパクト化を図り、洗浄水タンク３の外面よりの結露水を装置基盤４に形成した排水路６で受けて排水路６をへて排水することができながら、噴射ノズル８にておしり洗浄ノズル１１及びビデ洗浄ノズル１３を洗浄する際の洗浄水の上流側への飛散を邪魔板７によって遮ることができるのであり、排水路６における排水の停滞及び逆流を確実に防止することができる。又、装置基盤４に邪魔板７を立ち上げることで、リブ効果を得ることもできる。
【００２２】
この場合、邪魔板７は図１、図５及び図６に示すように、排水上流側が凸となる平面視が略へ字状に形成されている。しかして、邪魔板７よりも排水下流側に配設されている局部洗浄ノズル１を洗浄した飛散水は、排水上流側が凸となり排水下流側が凹となる邪魔板７によって受けられて逆流を効果的に防止することができるのである。更に、邪魔板７は排水上流側が凸となる平面視が略へ字状に形成されていることから、略へ字状の凸部７ａが分水嶺となり、かつ、略へ字状の邪魔板７が誘導翼になって排水を円滑におこなうことができる。
【００２３】
尚、邪魔板７は排水上流側が凸となる平面視が波形に形成されていてもよく、排水上流側が凸となる平面視が波形形状によって、排水を円滑におこなうことができる。このように、邪魔板７の形状は種々に変更することができるものである。又、邪魔板７と支持リブ３０を兼ねる構成にしてもよい。
【００２４】
図１２は貯湯タンク１７からノズルブロックの流路切換弁１６への給水ホース３１への配管構成を示し、装置基盤４に突出して便器への取付け強度を高めている便器固定凸部４６とガイドリブ３２とに給水ホース３１を掛けて引き回していて、誰が組み立てても同じ位置に給水ホース３１を配管でき、給水ホース３１が潰れるおそれがなくてよいものである。
【００２５】
図１３は温風乾燥ブロック３３を設置する仕様における上記給水ホース３１の配管構成を示し、図１２の実施の形態と同様に引き回されて配管されるのであり、上に温風乾燥ブロック３３が組み込まれても給水ホース３１が潰れることがないものである。
【００２６】
図１４及び図１５は、水道に直結される水圧調整機能付き給水電磁弁３４を示し、接続口３５に接続された水道管からの水道水を第１給水口３６をへて洗浄水タンク３へ給水し、洗浄水タンク３から第２給水口３７をへて貯湯タンク１７に給水するものであり、この場合、圧逃がし弁３８及び圧逃がしバネ３９を備えた水圧調整部４０において貯湯タンク１７への供給圧が一定以上になるのを抑えて局部洗浄圧が一定以上になるのを調整している。このような圧力調整は圧逃がし口４１より余剰水を噴射することによりおこなう。
【００２７】
水圧調整機能付き給水電磁弁３４の圧逃がし口４１の近傍には、庇４２を形成して圧逃がし口４１より噴射される余剰水が回りに飛散するのを防止するようにしている。
【００２８】
図１７に示すように、装置基盤４には水路リブ４３を形成して排水水路４４を形成していて、庇４２において反射された余剰水を集めて排出口４５より便器に排水するようにしている。
【００２９】
【発明の効果】
請求項１の発明においては、局部を洗浄する局部洗浄ノズルに付着した汚物等を噴射洗浄して落とすノズル噴射洗浄手段を設けた局部洗浄装置であって、便器へ洗浄水を供給する洗浄水タンクの下方を含めて装置基盤を設け、洗浄水タンクの外面に結露して滴下した結露水を受け、かつ、局部洗浄ノズルを洗浄したノズル洗浄水を受けて便器に排水する排水路を装置基盤に形成し、局部洗浄ノズルを洗浄したノズル洗浄水の飛散を受けて上記結露水及び局部洗浄ノズルを洗浄したノズル洗浄水が排水路を逆流するのを防止する邪魔板を排水路に設けているから、装置基盤の上方に洗浄水タンクを配設してコンパクト化を図り、洗浄水タンクの外面よりの結露水を装置基盤に形成した排水路で受けて排水することができながら、噴射ノズルにて局部洗浄ノズルを洗浄する際の洗浄水の上流側への逆流を邪魔板によって遮ることができ、排水路における排水の停滞及び逆流を確実に防止することができ、停滞及び逆流によるオーバーフロー等によって種々の機能ブロックや回路ブロック等への悪影響を防止できるという利点がある。
【００３０】
請求項２の発明においては、請求項１の効果に加えて、邪魔板は排水上流側が凸となる平面視が略へ字状に形成されているから、局部洗浄ノズルを洗浄した飛散水は、排水上流側が凸となり排水下流側が凹となる邪魔板によって受けられて逆流を効果的に防止することができ、更に、邪魔板は排水上流側が凸となる平面視が略へ字状に形成されていることから、略へ字状の凸部が分水嶺となって排水を円滑におこなうことができるという利点がある。
【００３１】
請求項３の発明においては、請求項１の効果に加えて、邪魔板は排水上流側が凸となる平面視が波形に形成されているから、局部洗浄ノズルを洗浄した飛散水は、排水上流側が凸となり排水下流側が凹となる邪魔板によって受けられて逆流を効果的に防止することができ、更に、邪魔板は排水上流側が凸となる平面視が波形に形成されていることから、排水を円滑におこなうことができるという利点がある。
【図面の簡単な説明】
【図１】本発明の実施の一形態を示し、概略構成を示す平面図である。
【図２】同上の装置基盤の平面図である。
【図３】同上の局部洗浄装置の斜視図である。
【図４】同上の給水系統図である。
【図５】同上の排水路を示す部分斜視図である。
【図６】同上の排水路を示す部分斜視図である。
【図７】同上の局部洗浄ノズルを示し、下方からの斜視図である。
【図８】同上の局部洗浄ノズルを示し、上方からの斜視図である。
【図９】同上の局部洗浄ノズルを示し、上方からの斜視図である。
【図１０】同上の局部洗浄ノズルを示し、側方からの斜視図である。
【図１１】同上の概略断面図である。
【図１２】同上の局部洗浄ノズルへの給水ホースの配管を示す平面図である。
【図１３】同上の局部洗浄ノズルへの給水ホースの配管及び温風ダクトの配置を示す平面図である。
【図１４】同上の水圧調整機能付き給水弁を示し、（ａ）は側面図、（ｂ）は部分平面図である。
【図１５】同上の断面図である。
【図１６】同上の水圧調整機能付き給水弁の配置を示す平面図である。
【図１７】同上の排水経路を示す平面図である。
【符号の説明】
１  局部洗浄ノズル
２  ノズル噴射洗浄手段
３  洗浄水タンク
４  装置基盤
６  排水路
７  邪魔板
８  噴射ノズル
【図１】
0003832378.tif 000002
【図２】
0003832378.tif 000003
【図３】
0003832378.tif 000004
【図４】
0003832378.tif 000005
【図５】
0003832378.tif 000006
【図６】
0003832378.tif 000007
【図７】
0003832378.tif 000008
【図８】
0003832378.tif 000009
【図９】
0003832378.tif 000010
【図１０】
0003832378.tif 000011
【図１１】
0003832378.tif 000012
【図１２】
0003832378.tif 000013
【図１３】
0003832378.tif 000014
【図１４】
0003832378.tif 000015
【図１５】
0003832378.tif 000016
【図１６】
0003832378.tif 000017
【図１７】
0003832378.tif 000018